【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
少なくとも記録材の層である第１層と第２層とから成る造形物を記録媒体上に形成するためのデータを生成する画像処理装置であって、
前記第１層の形状を表す形状データと、前記第２層の反射特性を表す反射特性データと、を取得する取得手段と、
前記反射特性データと前記形状データとに基づいて、前記造形物の所定領域ごとの反射特性を推定する推定手段と、
前記推定手段によって推定された前記反射特性を有する前記造形物を前記記録媒体上に形成するために、前記記録材の記録量を表す記録量データと、前記記録媒体上における前記記録材のドット配置に対応するドット配置データと、の少なくとも一方を生成する生成手段と、
を有することを特徴とする画像処理装置。
【請求項２】
前記記録媒体上に前記造形物を形成するための画像形成装置の出力特性に基づいて、前記形状データを変換する変換手段と、
前記推定手段によって推定された前記反射特性と、前記変換手段によって変換された前記形状データと、に基づいて、前記推定手段によって推定された前記反射特性を有する前記造形物を前記記録媒体上に形成するための前記第２層の反射特性を表す第２反射特性データを生成する第２生成手段と、をさらに有し、
前記生成手段は、前記形状データと前記第２反射特性データとに基づいて、前記記録量データと前記ドット配置データとの少なくとも一方を生成すること特徴とする請求項１に記載の画像処理装置。
【請求項３】
前記第２生成手段は、前記推定手段によって推定された前記反射特性と、前記変換手段によって変換された前記形状データと、に基づいて、前記推定手段によって推定された前記反射特性と、前記記録媒体上に前記記録材を記録することによって形成される前記造形物の前記所定領域ごとの反射特性との差分が最小となるように、前記第２反射特性データを生成することを特徴とする請求項２に記載の画像処理装置。
【請求項４】
前記第２生成手段は、前記推定手段によって推定された前記反射特性に対して前記変換手段によって変換された前記形状データを用いた逆畳み込み演算を行うことによって、前記第２反射特性データを生成することを特徴とする請求項２に記載の画像処理装置。
【請求項５】
前記記録媒体上に前記造形物を形成するための画像形成装置の出力特性に基づいて、前記反射特性データを変換する変換手段と、
前記推定手段によって推定された前記反射特性と、前記変換手段によって変換された前記反射特性データと、に基づいて、前記推定手段によって推定された前記反射特性を有する前記造形物を前記記録媒体上に形成するための前記第１層の形状を表す第２形状データを生成する第２生成手段と、をさらに有し、
前記生成手段は、前記第２形状データと前記反射特性データとに基づいて、前記記録量データと前記ドット配置データとの少なくとも一方を生成することを特徴とする請求項１に記載の画像処理装置。
【請求項６】
前記第２生成手段は、前記推定手段によって推定された前記反射特性と、前記変換手段によって変換された前記反射特性データと、に基づいて、前記推定手段によって推定された前記反射特性と、前記記録媒体上に前記記録材を記録することによって形成される前記造形物の前記所定領域ごとの反射特性との差分が最小となるように、前記第２形状データを生成することを特徴とする請求項５に記載の画像処理装置。
【請求項７】
前記第２生成手段は、前記推定手段によって推定された前記反射特性に対して前記変換手段によって変換された前記反射特性データを用いた逆畳み込み演算を行うことによって、前記第２形状データを生成することを特徴とする請求項５に記載の画像処理装置。
【請求項８】
前記記録媒体上に前記造形物を形成するための画像形成装置の出力特性に基づいて、前記形状データと前記反射特性データとを変換する変換手段と、
前記変換手段によって変換された前記形状データと前記反射特性データとに基づいて、前記造形物の前記所定領域ごとの反射特性を推定する第２推定手段と、をさらに有し、
前記生成手段は、前記推定手段によって推定された前記反射特性と、前記第２推定手段によって推定された前記反射特性と、を用いて、前記記録量データと前記ドット配置データとの少なくとも一方を生成することを特徴とする請求項１に記載の画像処理装置。
【請求項９】
前記生成手段は、前記推定手段によって推定された前記反射特性と、前記記録量データ又は前記ドット配置データと、が対応付けられたテーブルを用いて、前記記録量データと前記ドット配置データとの少なくとも一方を生成することを特徴とする請求項１に記載の画像処理装置。
【請求項１０】
前記生成手段は、前記推定手段によって推定された前記反射特性と、前記記録媒体上に前記記録材を記録することによって形成される前記造形物の前記所定領域ごとの反射特性との差分が最小となるように、前記記録量データと前記ドット配置データとの少なくとも一方を生成することを特徴とする請求項１に記載の画像処理装置。
【請求項１１】
前記取得手段は、前記第１層の表面の法線角度を表す前記形状データを取得することを特徴とする請求項１乃至請求項１０のいずれか一項に記載の画像処理装置。
【請求項１２】
前記取得手段は、前記第１層の表面の高さを表す前記形状データを取得し、
前記形状データが表す前記高さを、前記第１層の表面の法線角度に変換する第２変換手段をさらに有し、
前記推定手段は、前記反射特性データと、前記第２変換手段によって変換された前記形状データとに基づいて、前記造形物の前記所定領域ごとの反射特性を推定することを特徴とする請求項１乃至請求項１０のいずれか一項に記載の画像処理装置。
【請求項１３】
前記推定手段は、前記反射特性データと前記形状データとを用いた畳み込み演算を行うことによって、前記造形物の前記所定領域ごとの反射特性を推定することを特徴とする請求項１乃至請求項１２のいずれか一項に記載の画像処理装置。
【請求項１４】
前記記録材は、前記記録媒体上に前記第１層を形成するための第１記録材と、前記第１層の上に前記第２層を形成するための第２記録材と、の２種類であって、
前記生成手段が生成した、前記第１記録材に対応する前記記録量データ及び前記ドット配置データは、前記第１記録材を前記記録媒体上に積み上げることによって前記第１層を形成するためのデータであることを特徴とする請求項１乃至請求項１３のいずれか一項に記載の画像処置装置。
【請求項１５】
前記記録材は、前記記録媒体上に前記第１層を形成するための第１記録材と、前記第１層の上に前記第２層を形成するための第２記録材と、の２種類であって、
前記生成手段が生成した、前記第２記録材に対応する前記記録量データ及び前記ドット配置データは、前記第２記録材を用いて鏡面と拡散面との面積率を前記記録媒体上で制御するためのデータであることを特徴とする請求項１乃至請求項１４のいずれか一項に記載の画像処理装置。
【請求項１６】
コンピュータを請求項１乃至請求項１５のいずれか一項に記載の画像処理装置の各手段として機能させるためのプログラム。
【請求項１７】
少なくとも記録材の層である第１層と第２層とから成る造形物を記録媒体上に形成するためのデータを生成する画像処理方法であって、
前記第１層の形状を表す形状データと、前記第２層の反射特性を表す反射特性データと、を取得する取得ステップと、
前記反射特性データと前記形状データとに基づいて、前記造形物の所定領域ごとの反射特性を推定する推定ステップと、
前記推定ステップによって推定された前記反射特性を有する前記造形物を前記記録媒体上に形成するために、前記記録材の記録量を表す記録量データと、前記記録媒体上における前記記録材のドット配置に対応するドット配置データと、の少なくとも一方を生成する生成ステップと、
を有することを特徴とする画像処理方法。